(57)【要約】【課題】操作性及び視認性の向上が可能なＰＯＳターミナルを提供すること。【解決手段】  ＰＯＳターミナル１は、基台部２に設けられ、第１スイッチ１６及び第２スイッチ１７を有するセンサユニット１２と、基台部２に回動自在に接続されたディスプレイ３０を有する表示部３に設けられ、所定の位置に表示部３が位置するときに第１スイッチ１６及び第２スイッチ１７をそれぞれ操作する第１操作部３３及び第２操作部３４により構成された操作部３２と、を備え、第１スイッチ１６又は第２スイッチ１７が操作部３２により操作されることで、ディスプレイ３０に情報を表示させる。【選択図】      図２
2010244429.tif 000002
【特許請求の範囲】
【請求項１】
基台部と、
ディスプレイを有する表示部と、
前記表示部を前記基台部に対して回動可能に前記基台部に接続させる接続機構と、
回動した前記表示部の位置を、複数の所定の位置で検知可能に形成された検知手段と、
前記所定の位置のいずれかに前記表示部が位置することで前記ディスプレイに情報を表示させる制御手段と、
を備えることを特徴とするＰＯＳターミナル。
【請求項２】
前記表示部の複数の所定の位置は、前記基台部の第１の側面側、及び、この第１の側面側と相対する第２の側面側からそれぞれ前記ディスプレイを視認可能な２つの位置であり、
前記制御手段は、前記所定の位置で前記ディスプレイに情報を表示させるとともに、前記表示部の位置が前記所定の位置間において、前記ディスプレイの表示を非表示とすることを特徴とする請求項１に記載のＰＯＳターミナル。
【請求項３】
前記制御手段は、前記ディスプレイに、前記複数の所定の位置で異なる表示をすることを特徴とする請求項２に記載のＰＯＳターミナル。
【発明の詳細な説明】
【技術分野】
【０００１】
本発明は、可変可能な表示部を有するＰＯＳターミナルに関する。
【背景技術】
【０００２】
ＰＯＳシステムで用いられるＰＯＳターミナルとして、ディスプレイを有する表示部が回動するものが知られている。このようなＰＯＳターミナルのディスプレイは、タッチパネル機能を有することで、操作部を兼ねるものも知られている。
【０００３】
ディスプレイのタッチパネル機能を操作部として使用するＰＯＳターミナルは、操作部を別途設ける必要が無く、ＰＯＳターミナルの小型化が可能となる。このようなＰＯＳターミナルは、例えば、タッチパネルを備えた表示部が筐体に回動可能に接続され、表示部を筐体から離間する方向（上方）に回動させることで、筐体上面に設けられたプリンタ等を露出可能なものも知られている。
【０００４】
また、ＰＯＳターミナル等に接続して用いられるカードリーダとして、表示部が回動可能であって、表示部と連動して、遮蔽を行う板状部材が揺動するものも知られている（例えば特許文献１参照）。
【発明の概要】
【発明が解決しようとする課題】
【０００５】
上述したＰＯＳターミナルでは、次のような問題があった。即ち、ＰＯＳターミナルは、一方向（オペレータ側）からの操作は可能であるが、他方向（例えばカスタマ側）から操作をすることは困難である。例えば、ＰＯＳターミナルをカスタマが操作する場合には、ＰＯＳターミナルの正面にカスタマが移動する、又は、ＰＯＳターミナルのディスプレイがカスタマと対向する位置にＰＯＳターミナルを移動させる必要がある。
【０００６】
しかし、ＰＯＳターミナルが設置スペースに固定されている場合には、ＰＯＳターミナルを移動させることができないため、他方向からＰＯＳターミナルを操作することが困難である。同様に、他方向からディスプレイを視認することも困難である。このため、ＰＯＳターミナルは、その使用に制限があり、操作及び視認が可能な範囲が狭い、という問題がある。
【０００７】
そこで本発明は、操作性及び視認性の向上が可能なＰＯＳターミナルを提供することを目的としている。
【課題を解決するための手段】
【０００８】
前記課題を解決し目的を達成するために、本発明のＰＯＳターミナルは次のように構成されている。
【０００９】
本発明の一態様として、基台部と、ディスプレイを有する表示部と、前記表示部を前記基台部に対して回動可能に前記基台部に接続させる接続機構と、回動した前記表示部の位置を、複数の所定の位置で検知可能に形成された検知手段と、前記所定の位置のいずれかに前記表示部が位置することで前記ディスプレイに情報を表示させる制御手段と、を備えることを特徴とするＰＯＳターミナルが提供される。
【発明の効果】
【００１０】
本発明によれば、ＰＯＳターミナルの操作性及び視認性を向上することが可能となる。
【図面の簡単な説明】
【００１１】
【図１】本発明の一実施の形態に係るＰＯＳターミナルの構成を示す斜視図。
【図２】同ＰＯＳターミナルの構成を示す斜視図。
【図３】同ＰＯＳターミナルの要部を拡大して示す斜視図。
【図４】同ＰＯＳターミナルの要部を拡大して示す断面図。
【図５】同ＰＯＳターミナルの構成を模式的に示すブロック図。
【図６】同ＰＯＳターミナルの動作を示す流れ図。
【発明を実施するための最良の形態】
【００１２】
以下、本発明の一実施の形態に係るＰＯＳターミナル１を図１〜６を用いて説明する。  
なお、本実施形態は、店舗のレジカウンタ等の設置スペースに設置されるＰＯＳターミナルに適用したものを説明する。
【００１３】
図１は本発明の一実施の形態に係るＰＯＳターミナル１の構成を示す斜視図、図２は同ＰＯＳターミナル１の構成を示す斜視図、図３は同ＰＯＳターミナル１のセンサユニット１２及び操作部３２の構成を示す斜視図、図４は同ＰＯＳターミナル１のセンサユニット１２及び操作部３２の構成を示す一部断面図、図５はＰＯＳターミナル１の構成を模式的に示すブロック図、図６は同ＰＯＳターミナル１の動作の一例を示す流れ図である。なお、図４，５中、Ｂはバスラインを、Ｃは軸心を、Ｓは信号線をそれぞれ示している。
【００１４】
図１，２に示すように、ＰＯＳターミナル１は、基台部２と、表示部３と、接続機構４と、を備えている。  
基台部２は、筐体１０と、第１接続部１１と、センサユニット（検知手段）１２と、を備えている。
【００１５】
筐体１０は、その内部に基板等を備えている。また、筐体１０の上面１０ａには、サーマルプリンタ１３と、筐体１０内部を露出可能な上面カバー１４と、を備えている。筐体１０は、その上面１０ａがＰＯＳターミナル１の正面（第１の側面）側へ傾斜する台形立体に形成されている。
【００１６】
第１接続部１１は、略円柱状に形成されるとともに、筐体１０に一体成型され、表示部３と連結可能に形成されている。第１接続部１１は、その内部に、例えば回転軸となる軸体を挿入可能に形成されている。また、第１接続部１１は、筐体１０の上面１０ａの上端側の辺部の一部に、その軸心方向が上面１０ａの上端側の辺部に沿って延設されている。
【００１７】
センサユニット１２は、表示部３の位置を検知（検出）可能に形成されている。図２〜４に示すように、センサユニット１２は、上面１０ａの上端側の辺部の他部に設けられ、複数のスイッチが設けられている。
【００１８】
具体的には、センサユニット１２は、第１スイッチ（第１ＳＷ）１６と、第２スイッチ（第２ＳＷ）１７と、を備えている。また、センサユニット１２は、これら第１，第２スイッチ１６、１７に接続されたセンサコントローラ５８を備えている。
【００１９】
第１、第２スイッチ１６、１７は、例えば、回動又は揺動することで、ＯＮ／ＯＦＦ（導通／非導通）が機械的に切り替わるＯＮ／ＯＦＦスイッチが用いられる。第１、第２スイッチ１６、１７は、図４に示すように、回動又は揺動する揺動部２０と、揺動部２０の動きを検知する検知部２１と、検知部２１に接続され、センサコントローラ５８に接続される信号線Ｓと、を備えている。
【００２０】
第１、第２スイッチ１６、１７は、例えば、揺動部２０が押圧されて検知部２１側へ揺動するとＯＮに、揺動部２０がフリー状態でＯＦＦとなる。なお、第１、第２スイッチ１６，１７は、ＯＮ／ＯＦＦスイッチでなく、近接センサ等を用いても良い。
【００２１】
表示部３は、ディスプレイ３０と、第１接続部１１に接続される第２接続部３１と、センサユニット１２を操作する操作部３２と、を備えている。
【００２２】
ディスプレイ３０は、タッチパネル機能を有するタッチパネル式ディスプレイが用いられる。ディスプレイ３０は、処理内容の表示及び操作入力の双方が可能なＧＵＩ（Graphical User Interface）の機能を有している。
【００２３】
第２接続部３１は、略円柱状、又は、曲面を有する柱状に形成されている。第２接続部３１は、その内部に、例えば回転軸となる軸体を挿入可能に形成されている。また、第２接続部３１は、表示部３の一の端側の辺部の一部に、その軸心方向が表示部３の一の端側の辺部に沿って延設されている。このような第２接続部３１は、例えば、第１接続部１１の両端側にそれぞれ設けられ、軸体によって、第１接続部１１と接続可能に形成されている。
【００２４】
即ち、第２接続部３１は、第１接続部１１と軸体によって、同一軸心上、例えば、図３に示す回転中心である軸体の軸心Ｃ上に回動自在に固定されている。言い換えると、第２接続部３１は、軸心Ｃ上を中心に回転可能に第１接続部１１と連結されることで、基台部２に対して軸心Ｃを中心に表示部３を回動可能に形成されている。なお、第１接続部１１と第２接続部３１とは、軸体により回動可能に連結されるのではなく、例えば、第１接続部１１及び第２接続部３１に半球状の一対の凹凸を設け、これら凹凸を組み合わせる構成でもよい。
【００２５】
図３に示すように、操作部３２は、第２接続部３１にセンサユニット１２のスイッチ数と同数設けられている。詳しく述べると、操作部３２は、第２接続部３１の曲面部に突起する２つの突起部により構成されている。
【００２６】
２つの突起部である操作部３２は、第１スイッチ１６を操作する第１操作部３３と、第２スイッチ１７を操作する第２操作部３４と、により構成されている。第１、第２操作部３３，３４は、第２接続部３１が回動した際に、互いに異なる所定の回動位置で各スイッチ１６，１７にそれぞれ干渉可能に形成されている。
【００２７】
即ち、第１操作部３３と第２操作部３４とは、第２接続部３１の回動方向に所定の角度だけ離間して配置される。また、第１、第２操作部３３，３４は、第２操作部３４の回動時に各スイッチ１６，１７を通る第２接続部３１の曲面上に形成されている。
【００２８】
具体的には、第１操作部３３は、表示部３が基台部２の上面１０ａに当接する位置（所定の位置）に位置した場合に第１スイッチ１６をＯＮとすることが可能、且つ、表示部３が回動し、基台部２から離間することで、第１スイッチ１６から離間し、第１スイッチ１６がＯＦＦとすることが可能に、第２接続部３１に設けられている。
【００２９】
第２操作部３４は、基台部２から表示部３が所定の角度だけ回動し、表示部３が基台部２に対して所定の距離だけ離間した位置（所定の位置）に位置した場合に、第２スイッチ１７をＯＮとすることが可能に、第２接続部３１に設けられている。
【００３０】
なお、ここで、所定の距離（所定の角度）とは、基台部２から表示部３が離間（回動）することで、ディスプレイ３０がＰＯＳターミナル１（基台部２）の背面側（第２の側面側）から視認可能な距離（角度）である。ここでは、説明の便宜上、ＰＯＳターミナル１の背面側からディスプレイ３０が視認可能な距離（角度）として、基台部２の上面１０ａから表示部３が略直立状態となる位置までを所定の距離（所定の角度）として説明する。なお、所定の距離及び所定の角度は、これに限定されない。
【００３１】
即ち、第２操作部３４は、表示部３が略直立となり、基台部２の背面側からディスプレイ３０が視認可能となる位置で第２スイッチ１７をＯＮに、他の位置では第２スイッチ１７をＯＦＦに、操作可能に形成されている。
【００３２】
接続機構４は、第１接続部１１と、第２接続部３１と、これら第１接続部１１及び第２接続部３１の中心を挿通する軸体とにより構成されている。このような接続機構４は、基台部２の上端側及び表示部３の一端側に設けられ、基台部２に対して表示部３を回動可能に形成されたヒンジ（蝶番）機構である。なお、接続機構４は、基台部２に表示部３が当接する位置、及び、表示部３が略直立状態となる位置において、表示部３の移動を規制するとともに、規制の解除が可能なロック機構を有していても良い。
【００３３】
図５に示すＰＯＳターミナル１のブロック図に示すように、ＰＯＳターミナル１は、制御の中枢としてＣＰＵ（制御手段）５０を搭載している。このＣＰＵ５０は、チップセットを介して、ＲＯＭ（Read Only Memory）５１、ＲＡＭ（Random Access Memory）５２、ＢＩＯＳ−ＲＯＭ（Basic Input/Output System-Read Only Memory）５３、ディスプレイコントローラ５４、ハードディスク（ＨＤＤ）５５、通信インターフェース（Ｉ／Ｆ）５６、プリンタコントローラ５７、センサコントローラ５８がアドレスバスやデータバス等のバスラインＢを介して接続されている。
【００３４】
チップセットは、データ受渡しの管理等の情報流通を制御し、ＣＰＵ５０とバスラインＢとを接続するために用いられるノースブリッジと、各種コントローラ等の機能を有するサウスブリッジとを備えている。ＲＯＭ５１は、ＣＰＵ５０の制御動作を実行させるプログラム等を予め格納している。ＲＡＭ５２は、ＣＰＵ５０が演算処理に使用する各種のメモリエリアを形成する。
【００３５】
ＢＩＯＳ−ＲＯＭ５３には、各ハードウェアを初期化する際に実行されるテストプログラムであるＰＯＳＴ（Power-On Self Test）、ＢＩＯＳドライバ、ＶＧＡ（Video Graphics Array）ドライバ等が記録されている。
【００３６】
ディスプレイコントローラ５４は、ディスプレイ３０に対するメッセージ等の表示を行うとともに、ユーザによるタッチパネル式であるディスプレイ３０のタッチ操作に応じた入力データの取込み処理を行う。
【００３７】
ハードディスク５５には、取引処理の決済に必要な各種データベース、各種プログラム等が記憶されている。通信Ｉ／Ｆ５６は、例えば、クライアントサーバシステム等と接続可能に形成されている。また、通信Ｉ／Ｆ５６は、ドロワ等の周辺機器と接続可能に形成されていてもよい。
【００３８】
プリンタコントローラ５７は、プリンタ１３を駆動制御する。このプリンタ１３は、プラテンカバー、プラテンローラ、サーマルヘッド等を構成要素とするいわゆるサーマルプリンタである。センサコントローラ５８は、基台部２に設けられたセンサユニット１２の動作（ＯＮ／ＯＦＦ）の検知が可能に形成されている。
【００３９】
なお、ＣＰＵ５０は、主要な機能として、表示部３の位置を検出してディスプレイ３０の表示方向の変更を行う制御機能を備えている。詳細を説明すると、ＣＰＵ５０は、センサコントローラ５８により検知されたセンサユニット１２の動作である、第１スイッチ１６のＯＮ、第２スイッチ１７のＯＮ、及び、第１、第２スイッチ１６，１７共にＯＦＦのいずれか情報を受信する。
【００４０】
ＣＰＵ５０は、受信したセンサユニット１２の動作に基いて、ディスプレイコントローラ５４に表示情報の表示の変更指示を行う。このように、ＣＰＵ５０は、ディスプレイコントローラ５４に、センサユニット１２の動作、即ち、表示部３の位置に対して適切な表示情報を、ディスプレイ３０に表示させる指示を行う。
【００４１】
例えば、ＣＰＵ５０は、センサコントローラ５８から受信したセンサユニット１２の動作情報が、第１スイッチ１６がＯＮである場合には、ディスプレイコントローラ５４に、接続機構４側を上側としてディスプレイ３０に表示情報を表示させる。即ち、ディスプレイコントローラ５４により、ディスプレイ３０に正位置により表示情報が表示される。
【００４２】
また、ＣＰＵ５０は、センサコントローラ５８から受信したセンサユニット１２の動作情報が、第２スイッチ１７がＯＮである場合には、ディスプレイコントローラ５４に、接続機構４側を下側として、表示情報をディスプレイ３０に表示させる。即ち、ディスプレイコントローラ５４により、ディスプレイ３０に逆位置により表示情報が表示される。
【００４３】
さらに、ＣＰＵ５０は、センサコントローラ５８から受信したセンサユニット１２の動作情報が、第１、第２スイッチ１６，１７共にＯＦＦの場合には、所定の位置間であるとして、ディスプレイコントローラ５４に、ディスプレイ３０を非表示、又は、ディスプレイ３０への電力の供給を停止させる。なお、非表示や電力供給の停止等ではなく、暗転させてもよい。但し、消費電力の低減を考慮すると、非表示や電力供給の停止が望ましい。
【００４４】
ＣＰＵ５０は、これらのディスプレイコントローラ５４への表示変更の指示を、主要な機能として有している。
【００４５】
次に、このように構成されたＰＯＳターミナル１の表示部３の回動、及び、表示部３の表示について、図６に示す流れ図を用いて説明する。  
先ず、ＰＯＳターミナル１に電源が供給され、ＰＯＳターミナル１が起動される（ステップＳＴ１）。ＰＯＳターミナル１が起動されると、センサコントローラ５８は、第１スイッチ１６及び第２スイッチ１７の状態を確認する。
【００４６】
センサコントローラ５８は、第１スイッチ１６が第１操作部３３により操作（押圧）され、第１スイッチ１６がＯＮであるか否か（ステップＳＴ２）、即ち、表示部３が基台部２に当接しているか否かを判断する。
【００４７】
第１スイッチ１６の揺動部２０が第１操作部３３により操作されて第１スイッチ１６がＯＮの場合（ステップＳＴ２のＹＥＳ）に、ＣＰＵ５０は、この情報をセンサコントローラ５８から受信するとともに、ディスプレイ３０に正位置にて表示情報を表示させる。なお、正位置表示とは、オペレータが視認可能な位置、即ち、基台部２に表示部３を当接させた際に、接続機構４側を上側として情報を表示するものである。このとき、表示部３は、基台部２に当接しており、ディスプレイ３０は、オペレータ側に配置されることとなる。表示部３のディスプレイ３０に表示される内容（表示情報）は、例えば、テンキーやタッチキー等の操作情報と、商品情報や処理案内等の処理情報である。
【００４８】
表示部３に正表示にて情報が表示されるとともに、ＣＰＵ５０は、停止指示、たとえば、ＰＯＳターミナル１のシャットダウンの操作（指示）を監視する（ステップＳＴ４）。ＰＯＳターミナル１のシャットダウンの操作（指示）がある（ステップＳＴ４のＹＥＳ）と、ＣＰＵ５０は、ＰＯＳターミナル１を停止させる（ステップＳＴ５）。主として、このようなＰＯＳターミナル１の停止は、店舗の営業終了後に行われる。
【００４９】
また、ＣＰＵ５０は、停止指示がない場合（ステップＳＴ４のＮＯ）に、ステップＳＴ１に戻る。なお、具体的には、ＣＰＵ５０は、停止指示がない場合には、常時、センサユニット１２の状態を確認する（ステップＳＴ２）。
【００５０】
ここで、第１スイッチ１６が継続してＯＮ（ステップＳＴ２のＹＥＳ）である場合、例えば、オペレータがＰＯＳターミナル１を操作中の場合には、停止指示がある（ステップＳＴ４のＹＥＳ）、又は、第１スイッチ１６がＯＦＦとなるまで、ディスプレイ３０には、正表示にて情報が表示され続ける。
【００５１】
次に、第１スイッチ１６がＯＦＦの場合（ステップＳＴ２のＮＯ）には、センサコントローラ５８は、第２スイッチ１７の状態を確認する、即ち、第２スイッチ１７がＯＦＦであるか否かの判断が成される（ステップＳＴ６）。
【００５２】
第２スイッチ１７が操作されていない場合（ステップＳＴ６のＹＥＳ）には、センサコントローラ５８は、第１、第２スイッチ１６，１７の両方がＯＦＦである旨を判断する。第１、第２スイッチ１６、１７が共にＯＦＦである場合には、表示部３が回動途中であるため、ディスプレイ３０は、非表示となる（ステップＳＴ７）。即ち、表示部３は、ディスプレイ３０に何も表示がなされない。
【００５３】
この状態で、ＣＰＵ５０は、停止指示、たとえば、ＰＯＳターミナル１のシャットダウンの操作を監視する（ステップＳＴ４）。なお、ステップＳＴ４以下、同様の動作が行われる。
【００５４】
次に、第２スイッチ１７の揺動部２０が、第２操作部３４により操作された場合（ステップＳＴ６のＮＯ）には、センサコントローラ５８は、第１スイッチ１６がＯＦＦであって、第２スイッチ１７がＯＮであると判断する。第１スイッチ１６がＯＦＦであって第２スイッチ１７がＯＮである場合には、ＣＰＵ５０は、ディスプレイ３０に、逆位置にて情報を表示させる（ステップＳＴ８）。
【００５５】
即ち、表示部３は、基台部２に当接状態から回動し、略直立状態となり、ＰＯＳターミナル１の背面側からディスプレイ３０が視認可能となり、ディスプレイ３０がカスタマ側に配置されていることとなる。このとき表示部３のディスプレイ３０には、ステップＳＴ２のＹＥＳ時と同様のテンキーやタッチキー等の操作情報及び商品情報や処理案内等の処理情報等の表示情報が、正位置表示とは上下反転が成された逆位置にて表示される。
【００５６】
このように構成されたＰＯＳターミナル１によれば、第１、第２スイッチ１６，１７のＯＮ／ＯＦＦによって、表示部３の表示を変更することが可能となる。即ち、表示部３が、基台部２の上面に当接した際には、第１スイッチ１６がＯＮとなり、ディスプレイ３０の接続機構４側が上側として、ディスプレイ３０に情報が表示される。また、表示部３が基台部２から離間する方向に回動し、所定の距離（角度）を回動させて、ＰＯＳターミナル１の背面側にディスプレイ３０が配置された場合には、第２スイッチ１７がＯＮとなり、ディスプレイ３０の第２接続部３１側が下側として、ディスプレイ３０に情報が表示される。
【００５７】
このように、第１スイッチ１６がＯＮの場合と、第２スイッチ１７がＯＮの場合とでは、ディスプレイ３０は、表示情報が上下逆転して表示されることとなる。このため、ＰＯＳターミナル１の正面側（第１の側面側）及びこの正面側と相対する背面側（第２の側面側）のどちらか一方に表示部３のディスプレイ３０を配置させることで、ＰＯＳターミナル１の正面側及び背面側からディスプレイ３０を視認可能、且つ、操作可能となる。即ち、ＰＯＳターミナル１のオペレータ（操作者）だけでなく、カスタマ等の第三者であっても、ＰＯＳターミナル１の背面側等の回動側でディスプレイ３０と対向することが可能となり、視認性が良く、操作も容易となる。これにより、ＰＯＳターミナル１の視認性及び操作性が向上する。
【００５８】
また、第１スイッチ１６及び第２スイッチ１７がＯＦＦの場合には、ディスプレイ３０の表示を非表示、又は、給電停止とすることが可能となる。これにより、表示部３の回動時、又は、第１、第２スイッチ１６，１７がＯＦＦとなる位置に表示部が位置する場合においては、消費電量を低減することが可能となり、節電が可能となる。
【００５９】
上述したように本実施の形態に係るＰＯＳターミナル１によれば、ディスプレイ３０の表示を、ディスプレイ３０の向きがＰＯＳターミナル１の正面側及び背面側で、上下逆転させることで、視認性及び操作性の向上とすることが可能となる。即ち、ＰＯＳターミナル１は、複数の位置から、容易に操作及び視認を行うことが可能となる。
【００６０】
なお、本発明は前記実施の形態に限定されるものではない。上述した例では、ＣＰＵ５０は、表示部３の位置をセンサユニット１２により検知し、ディスプレイ３０の表示を、上下逆転させる例を挙げたが、これに限定されない。例えば、ＣＰＵ５０は、表示部３の位置によって、表示する情報を変更するとともに、上下逆転させて表示させる構成でもよい。以下、この変形例を説明する。
【００６１】
ＣＰＵ５０は、上述した表示部３の位置を検出してディスプレイ３０の表示方向の変更を行う制御機能だけでなく、第１スイッチ１６及び第２スイッチ１７のＯＮ／ＯＦＦ状態に基いて、ディスプレイ３０に表示する内容（表示情報）を変更する制御機能を有している。例えば、ＲＡＭ５２（又はＨＤＤ５５）は、ディスプレイ３０に表示させる情報を複数、例えば２つのレイアウトで表示させるプログラムを有している。
【００６２】
このレイアウトの一方は、ディスプレイ３０がＰＯＳターミナル１側の正面に配置された状態、例えば、オペレータ側に配置された場合に、ディスプレイ３０に表示されるオペレータ用の情報が表示されるレイアウトである。このオペレータ用のレイアウトには、例えば、品名、価格、仕入原価、割引率、仕入日程、等の製品情報や、テンキー、領収書発行キー、小計キー等の操作入力キーが表示される。
【００６３】
また、上記レイアウトの他方は、ディスプレイ３０がＰＯＳターミナル１側の背面に配置された状態、例えば、カスタマ側に配置された場合にディスプレイ３０に表示されるカスタマ用の情報が表示されるレイアウトである。このカスタマ用のレイアウトには、例えば、カスタマ用の情報例えば、品名、価格、割引率、割引価格等の製品情報や、暗証番号入力用のテンキーや、ポイントカード選択キー等の操作入力キーが表示される。
【００６４】
このような構成とすることで、ＣＰＵ５０は、図６の流れ図に記載のステップＳＴ３において、ディスプレイ３０に正位置でオペレータ用の情報を表示させる。また、ＣＰＵ５０は、図６の流れ図に記載のステップＳＴ８において、ディスプレイ３０に逆位置でカスタマ用の情報を表示させる。
【００６５】
即ち、表示部３を回動させて、異なる所定の位置に表示部３を位置させることで、ディスプレイ３０に、異なる情報を表示させることが可能となる。このように、ＣＰＵ５０により表示する情報、及び、表示の方向を変更可能とすることで、例えば、カスタマ用の表示により、カスタマがディスプレイ３０を操作して直接クレジットカードの暗証番号の入力や、ポイントカードのポイント使用指示を入力することが可能となる。また、例えば、集客を目的とした、買物時の特典として、例えば、購入時にディスプレイ３０を操作することで、ポイント付与等を行う、所謂、カスタマ参加型のサービスの提供等も可能となる。これらのように、複数の所定の位置で、異なる情報をディスプレイ３０に表示させることで、ＰＯＳターミナル１の汎用性を向上することが可能となる。
【００６６】
また、上述した例では、第１、第２スイッチ１６，１７共にＯＦＦの際には、ディスプレイ３０を非表示するとしたが、これに限定されるものではない。例えば、ＲＡＭ５２（又はＨＤＤ５５）に、ディスプレイ３０に表示させる情報を表示させるプログラムを設け、ＣＰＵ５０によりこの情報を表示させる構成であってもよい。例えば、表示部３の回動時であって、第１、第２スイッチ１６，１７共にＯＦＦの際には、店舗のロゴや、セール情報等を表示してもよい。また、上述もしたが、暗転であってもよい。
【００６７】
さらに、上述した例では、第１、第２スイッチ１６，１７が同時に（共に）ＯＮとならない配置で第１、第２操作部３３，３４が設けられている。即ち、第１、第２スイッチ１６，１７が共にＯＮとなることはない構成配置になっているが、故障等によって、第１、第２スイッチ１６，１７が共にＯＮとなった場合には、ディスプレイ３０にエラー表示を表示する機能をＣＰＵ５０に設けてもよい。
【００６８】
また、上述したセンサユニット１２は、第１、第２スイッチ１６，１７を有するとしたが、これに限らず、２以上のスイッチを有する構成であってもよい。さらに、上述したＰＯＳターミナル１は、決済端末を含む。この他、本発明の要旨を逸脱しない範囲で種々変形実施可能である。
【符号の説明】
【００６９】
１…ＰＯＳターミナル、２…基台部、３…表示部、４…接続機構、１０…筐体、１０ａ…上面、１１…第１接続部、１２…センサユニット（検知手段）、１３…サーマルプリンタ、１４…上面カバー、１６…第１スイッチ、１７…第２スイッチ、２０…揺動部、２１…検知部、３０…ディスプレイ、３１…第２接続部、３２…操作部、３３…第１操作部、３４…第２操作部、５０…ＣＰＵ（制御手段）、５１…ＲＯＭ、５２…ＲＡＭ、５３…ＲＯＭ、５４…ディスプレイコントローラ、５５…ハードディスク、５６…通信インターフェース、５７…プリンタコントローラ、５８…センサコントローラ、Ｂ…バスライン、Ｃ…軸心、Ｓ…信号線。
【先行技術文献】
【特許文献】
【００７０】
【特許文献１】特開２００３−１９６５９５号公報
【図１】
2010244429.tif 000003
【図２】
2010244429.tif 000004
【図３】
2010244429.tif 000005
【図４】
2010244429.tif 000006
【図５】
2010244429.tif 000007
【図６】
2010244429.tif 000008